(57)【要約】【課題】使用者が簡単な操作をするだけで、掃除作業によって汚れた回転ブラシおよび回転ブラシを配置したケース部までも水洗い可能となり、常に清潔な状態で掃除ができる電気掃除機用吸込具およびそれを用いた電気掃除機を提供することを目的とする。【解決手段】回転ブラシ５４を駆動させる駆動手段５５が配置されているケース部Ａ６６と、前記回転ブラシ５４を配置したケース部Ｂ４１とを備え、前記ケース部Ａ６６と前記ケース部Ｂ４１とを分離させることにより、前記駆動手段５５と前記回転ブラシ５４との連結を解除可能としたもので、常に清潔な状態で掃除をすることができる。【選択図】　図４
2004121470.tif 000002
【特許請求の範囲】
【請求項１】
下方開口の吸込部内に回転自在に配され外周面に塵埃掻き上げ部を有する回転ブラシと、前記回転ブラシを駆動させる駆動手段とを備え、前記駆動手段はケース部Ａに配置し、前記回転ブラシはケース部Ｂに配置したことで、前記ケース部Ａと前記ケース部Ｂとを分離させたとき、前記駆動手段と前記回転ブラシとの連結を解除可能とした電気掃除機用吸込具。
【請求項２】
回転ブラシは、ケース部Ｂに着脱自在に配置されてなる請求項１記載の電気掃除機用吸込具。
【請求項３】
駆動手段は、駆動源と前記駆動源と連結する主動力伝達部と前記主動力伝達部の駆動力を回転ブラシに伝達する従動力伝達部から構成されてなる請求項１または２記載の電気掃除機用吸込具。
【請求項４】
主動力伝達部と従動力伝達部は、上下方向に配置されてなる請求項３記載の電気掃除機用吸込具。
【請求項５】
回転ブラシの一部を、従動力伝達部に水平方向から挿入することで、前記回転ブラシと前記従動力伝達部を連結する請求項３または４記載の電気掃除機用吸込具。
【請求項６】
ケース部Ａとケース部Ｂとを着脱するための尾錠を設け、前記尾錠を操作することにより、前記ケース部Ａと前記ケース部Ｂとが、水平方向に着脱自在なる請求項５記載の電気掃除機用吸込具。
【請求項７】
請求項１〜６のいずれか１項に記載の電気掃除機用吸込具を有する電気掃除機。
【発明の詳細な説明】
【０００１】
【発明の属する技術分野】
本発明は、回転ブラシを有する電気掃除機用吸込具およびこの電気掃除機用吸込具を用いた電気掃除機に関するものである。
【０００２】
【従来の技術】
図９〜図１１に示すように、吸込具本体１は、上部側を構成する上ケース２と、下側を構成する下ケース３よりなり、下ケース３の下面に開口させた塵埃を吸引する吸込部４を形成し、下ケース３は、ねじ５により上ケース２と固着している。前記吸込部４と連通した連通路６に接続した上下方向に回動自在なアーム７および吸込具本体１の外周に巻装したバンパー８は、上ケース２と下ケース３を組み合わせることにより、挟み込むことで保持している。また、塵埃を掻き上げるブラシ１１を有する回転ブラシ１０は、吸込部４を臨んで設けている。保持ケース１２は尾錠１３を解除することで、下ケース３から分離可能で、この保持ケース１２を下ケース３から分離することで、回転ブラシ１０を吸込部本体１から取り出すことができる。
【０００３】
回転ブラシ１０は、同形の歯形でかつ歯数の異なるプーリー１４を取り付け、プーリー１４のフランジと逆位置にフランジ１５を同様に備えている。電動機１６の回転軸１９に設けられた出力部１７と前記プーリー１４とをベルト１８にて連結し、前記電動機１６の駆動力を、前記回転ブラシ１０に伝達するようにしている。
【０００４】
清掃作業時には、電動機１６の駆動力により回転ブラシ１０が回転することで、被清掃面の塵埃を掻き上げ、掃除機本体（図示せず）に内蔵させた電動送風機（図示せず）が発生する吸気風とともに、前記塵埃は、吸込部４、連通路６、アーム７および前記アームに接続された接続管２０内を移送し、掃除機本体（図示せず）内に設けられている集塵室（図示せず）にて捕集される。
【０００５】
清掃作業後、回転ブラシ１０が汚れた場合、尾錠１３を解除し、保持ケース１２を取り外した後、回転ブラシ１０をベルト１８から離脱した後、吸込具本体１より取り出し、水洗いあるいは付着塵埃の除去などの清掃を行う。また、回転ブラシ１０を清掃後には、前記回転ブラシ１０をベルト１８に装着し吸込部４に取り付けた後、保持ケース１２を下ケース３に取り付け、尾錠１３をロックすることで、回転ブラシ１０の吸込具本体１への装着が完了する（例えば、特許文献１参照。）。
【０００６】
【特許文献１】
特開平１１−３１８７７８号公報
【０００７】
【発明が解決しようとする課題】
しかしながら上記従来の電気掃除機用吸込具においては、回転ブラシ１０が汚れて清掃を行うために吸込具本体１から離脱する場合や、清掃後に回転ブラシ１０を吸込具本体１に配設する場合、前記回転ブラシ１０をベルト１８から離脱する必要があり、手間がかかり、使用者に煩わしさを感じさせるものであった。
【０００８】
また、上記のように、回転ブラシ１０は水洗いができても、電動機１６と回転ブラシ１０が同一ケースに配設されていることと、前記電動機１６はケースから着脱自在でないため、前記被掃除面に接すること等で汚れた前記ケースまでは水洗いできない問題があった。
【０００９】
本発明は上記従来の課題を解決するもので、使用者が簡単な操作をするだけで、掃除作業によって汚れた回転ブラシおよび回転ブラシを配置したケース部までも水洗い可能となり、常に清潔な状態で掃除ができる電気掃除機用吸込具およびそれを用いた電気掃除機を提供することを目的としている。
【００１０】
【課題を解決するための手段】
上記課題を解決するために本発明は、下方開口の吸込部内に回転自在に配され外周面に塵埃掻き上げ部を有する回転ブラシと、前記回転ブラシを駆動させる駆動手段とを備え、前記駆動手段はケース部Ａに配置し、前記回転ブラシはケース部Ｂに配置したことで、前記ケース部Ａと前記ケース部Ｂとを分離させたとき、前記駆動手段と前記回転ブラシとの連結を解除可能としたもので、掃除作業によって汚れた回転ブラシおよび回転ブラシを配置したケース部までも水洗い可能とし、常に清潔な状態で掃除をすることができる。
【００１１】
【発明の実施の形態】
本発明の請求項１に記載の発明は、下方開口の吸込部内に回転自在に配され外周面に塵埃掻き上げ部を有する回転ブラシと、前記回転ブラシを駆動させる駆動手段とを備え、前記駆動手段はケース部Ａに配置し、前記回転ブラシはケース部Ｂに配置したことで、前記ケース部Ａと前記ケース部Ｂとを分離させたとき、前記駆動手段と前記回転ブラシとの連結を解除可能としたもので、掃除作業によって汚れた回転ブラシおよび回転ブラシを配置したケース部までも水洗い可能とし、常に清潔な状態で掃除をすることができる。また、汚れているケース部Ｂと回転ブラシを同時に取り外すことができ、使用性を向上することができる。
【００１２】
請求項２に記載の発明は、回転ブラシは、ケース部Ｂに着脱自在に配置されてなるもので、回転ブラシのみを取り出すことができ、回転ブラシのみの水洗いあるいは付着塵埃の除去などの清掃を容易に行うことができる。
【００１３】
請求項３に記載の発明は、駆動手段は、駆動源と前記駆動源と連結する主動力伝達部と前記主動力伝達部の駆動力を回転ブラシに伝達する従動力伝達部から構成されてなるもので、駆動手段と回転ブラシを配置させるケース部Ｂとを容易に分離できるよう構成することができ、ケース部Ｂを容易に水洗いし、清掃することができる。
【００１４】
請求項４に記載の発明は、主動力伝達部と従動力伝達部は、上下方向に配置されてなるもので、駆動手段と回転ブラシを配置させるケース部Ｂとを容易に分離できるよう構成することができ、ケース部Ｂを容易に水洗いし、清掃することができるとともに、吸込具本体が小型化できる。
【００１５】
請求項５に記載の発明は、回転ブラシの一部を、従動力伝達部に水平方向から挿入することで、前記回転ブラシと前記従動力伝達部を連結するもので、前記回転ブラシをスライド移動させるのみで、前記回転ブラシと前記従動力伝達部と容易に着脱することができ、使用性を向上することができる。
【００１６】
請求項６に記載の発明は、ケース部Ａとケース部Ｂとを着脱するための尾錠を設け、前記尾錠を操作することにより、前記ケース部Ａと前記ケース部Ｂとが、水平方向に着脱自在なるもので、前記ケース部Ｂに対して前記ケース部Ａをスライド移動させるのみで容易に着脱することができ、同時にケース部Ａに保持されている従動力伝達部と、回転ブラシとも容易に着脱することができる。
【００１７】
請求項７に記載の発明は、上記請求項１〜６のいずれか１項に記載の電気掃除機用吸込具を有する電気掃除機であり、回転ブラシおよびケース部Ｂを常に清潔な状態にでき、清潔な床用吸込具を備えた電気掃除機を提供することができる。
【００１８】
【実施例】
以下、本発明の一実施例について、図面を参照しながら説明する。
【００１９】
図１に示すように、掃除機本体３１は、吸込具本体３２が集塵するのに必要な吸気風を発生させる電動送風機３３を内蔵した電動送風室３４を有し、下部には塵埃を捕集する集塵室３５と、この集塵室３５と吸込具本体３２を連通させる集塵口３６を配している。通路部３７は吸込具本体３２を接続するために剛体で形成し、かつ、吸込具本体３２に電源を供給する給電線（図示せず）を内蔵している。電動送風室３４内の電動送風機３３の吸引風により、吸込具本体３２から集塵された塵埃は通路部３７、集塵口３６を通過した後に、集塵室３５に集められるようになっている。ここで、３８は把手部、３９は電源用電池である。
【００２０】
吸込具本体３２は、図２〜図７に示すように、上部側を構成する上ケース４０と、中部を構成する中ケース５７と、下部側が底面を構成する下ケース４１よりなり、下ケース４１には下方に開口させた吸込部４２を形成し、中ケース５７はねじ（図示せず）により上ケース４０を固定しケース部Ａ６６を形成するとともに、下ケース４１に設けた凹凸部４１ａと中ケースに設けた凹凸部５７ａと合致し、スライドさせることで固定している。ここで、このスライド移動をロックするための尾錠５８が、上ケース４０に設けられている。また、下ケース４１の下面に四隅に薄い起毛布６１を被着している。
【００２１】
上ケース４０の上面に、連結部４３が被掃除面４４と水平方向に回動可能に取り付けられており、連結部４３の端部には支持部４５が取り付けられている。支持部４５は被掃除面４４に接することで、連結部４３を支持し起毛布で覆われた回転可能なローラー４６を有している。また、連結部４３上面に回転支点４７を介して、接続管４８が取り付けられている。吸込部４２から連結部４３、さらに接続部４８にかけては、吸込部４２から吸引した塵埃を通路部３７に移送する。
【００２２】
吸込部４２の長手方向における中心軸４２ａと、接続管４８の長手方向における中心軸４８ａが平行になるまで、連結部４３が吸込部４２に対して被掃除面４４と水平方向に回動可能に取り付けられているため、連結部４３に吸込部４２に対する回動力を加えることで吸込具本体３２を横方向（吸込部４２の長手方向の中心軸４ａ方向）にて使用することができる。接続管４８は、接続管４８の長手方向における中心軸４８ａが被掃除面４４と垂直となる状態から、接続管４８の長手方向における中心軸４８ａが被掃除面４４と略平行となる状態まで前記連結部４３に対し回動可能である。
【００２３】
上ケース４０と中ケース５７とで、ケース部Ａ６６を形成しするとともに、前記上ケース４０と中ケース５７が形成する空間を、下ケース４１（ケース部Ｂ）に配置した被掃除面上の塵埃を掻き上げる回転ブラシ５４を駆動させる駆動源である電動機４９を配置する駆動室５３としている。さらに、前記駆動室５３内には、電動機４９の回転軸６７の端部に設けた歯形を有する主動力伝達部５０と、この主動力伝達部５０と同形の歯形で歯数の異なる従動力伝達部５１とを設けている。前記従動力伝達部５１は、前記主動力伝達部５０の下方に設けていて、中ケース５７に設けられたリブ５７ｂで保持するとともに、主動力伝達部５０と従動力伝達部５１とはベルト５２にて連結していて、これら駆動源である電動機４９と、前記主動力伝達部５０と、前記従動力伝達部５１と、前記ベルト５２にて駆動手段５５を構成し、前記電動機４９の駆動力を前記回転ブラシ５４に伝達している。
【００２４】
この従動力伝達部５１の表面には複数の凹部５１ａを設けるとともに、回転ブラシ５４の端部に固定され、下ケース４１が有するリブ４１ｂにて保持されるプーリー５６の複数のリブ５６ａと、前記従動力伝達部５１の凹部５１ａが水平方向にはめあわさることで、前記従動力伝達部５１と前記回転ブラシ５４は連結され、前記電動機４９の駆動力は前記回転ブラシ５４に伝達される。また、従動力伝達部５１と、上ケース４０のリブ４０ａで保持する軸受６０を設け、回転ブラシ５４の回転軸５９を保持するようにしている。また、回転ブラシ５４の回転軸５９を、前記従動力伝達部５１に設けられた貫通穴５１ｂおよび前記軸受６０にはめあわせることで、従動力伝達部５１とともに、前記回転ブラシ５４は回転する。また、駆動室５３には電動機４９を冷却する冷却口６５を設けている。回転ブラシ５４の上方に電動機４９を配置することで、吸込部４２の長手方向の中心軸４２ａを中心とする横幅を小さく抑えることができる構成となっている。
【００２５】
回転ブラシ５４は、アルミあるいは発泡性樹脂により成形した棒状の剛体の基体６２と、この基体６２の外周に向かって開口し、基体６２の長手方向に延びる溝部６３と、この溝部６３に挿入して取り付けられた毛ブラシ６４（塵埃掻き上げ部）を備えている。
【００２６】
上記構成において作用を説明する。被掃除面４４を掃除するため、掃除機本体３１を運転し、吸込具本体３２に吸引風を流すと、通路部３７を通して吸込部４２から外気が流入する。また、同時に電源用電池３９からの電源が電動機４９に供給され、電動機４９が駆動することで、主動力伝達部５０が回転し、ベルト５２を介して、従動力伝達部５１およびプーリー５６も回転することで、回転力を回転ブラシ５４に伝達する。
【００２７】
吸込部４２内の回転ブラシ５４が回転することで、毛ブラシ６４により被掃除面４４の塵埃を掻き上げ、吸込部４２に流入する吸引風にて集塵され、集塵室３５に塵埃が集められる。
【００２８】
掃除が終了した後、駆動室５３を備えたケース部Ａ６６と、回転ブラシ５４を備えた下ケース４１とを分離できる構成とし、下ケース４１に電動機４９などの電気部品を保持しないことで、回転ブラシ５４および下ケース４１を水洗いすることができるため、回転ブラシ５４および下ケース４１を常に清潔な状態で掃除することができる。
【００２９】
また、下ケース４１に対して、下ケース４１と回転ブラシ５４が容易に分離できる構造とし、回転ブラシ５４のみを取り出すことができ、回転ブラシ５４のみの水洗いあるいは付着塵埃の除去などの清掃を容易に行うことができる。
【００３０】
また、駆動手段５５は、駆動源である電動機４９と、前記主動力伝達部５０と、前記従動力伝達部５１と、前記ベルト５２にて構成し、前記駆動手段はケース部Ａ６６に設けた駆動室５３に配置して、前記ケース部Ａ６６と回転ブラシ５４を配置させた下ケース４１とを容易に分離できるよう構成したことで、下ケース４１を容易に水洗いし、清掃することができる。また、水洗い清掃した後、従動力伝達部５１とプーリー５６とを容易に装着することができ、使用性を向上することができる。
【００３１】
また、下ケース４１に配置した回転ブラシ５４にプーリー５６を固定し、従動力伝達部５１とプーリー５６を連結させることで、回転ブラシ５４を駆動させるよう構成したため、水洗い清掃した後、前記プーリー５６と前記従動力伝達部５１とを容易に装着することができ、使用性を向上することができる。
【００３２】
また、回転ブラシ５４の回転軸５９を、従動力伝達部５１に水平方向から挿入することで、プーリー５６と連結することができ、回転ブラシ５４の回転軸５９およびプーリー５６と従動力伝達部５１とを容易に着脱することができ、使用性を向上することができる。また、プーリー５６を従動力伝達部５１に直接的に結合することができ、プーリー５６で従動力伝達部５１との回転保持ができる。
【００３３】
また、下ケース４１とケース部Ａ６６とを着脱するための尾錠５８を設け、尾錠５８を解除することにより、水平方向に着脱自在としているので、下ケース４１に対してケース部Ａ６６を水平方向にスライド移動することで容易に着脱することができ、同時にプーリー５６を保持した回転ブラシ５４と従動力伝達部５１とも容易に着脱することができる。また、尾錠５８を容易に解除することができ、着脱における使用性を向上することができる。
【００３４】
また、吸込具本体３２を、掃除機本体３１に接続することにより、回転ブラシ５４および下ケース４１を常に清潔な状態にでき、清潔な床用吸込具を備えた電気掃除機を提供することができる。
【００３５】
【発明の効果】
以上のように本発明によれば、使用者が簡単な操作をするだけで、掃除作業によって汚れた回転ブラシおよび回転ブラシを配置したケース部までも水洗い可能となり、常に清潔な状態で掃除ができる電気掃除機用吸込具およびそれを用いた電気掃除機を提供できる。
【図面の簡単な説明】
【図１】本発明の一実施例を説明する電気掃除機の全体図
【図２】同電気掃除機用吸込具の側面図
【図３】同電気掃除機用吸込具の上面図
【図４】同電気掃除機用吸込具の正面図
【図５】同電気掃除機用吸込具の下面図
【図６】（ａ）同電気掃除機用吸込具からケース部Ａを外したときの上面図
（ｂ）同電気掃除機用吸込具からケース部Ａを外したときの正面図
【図７】（ａ）同電気掃除機用吸込具から下ケース部Ａを外したときの正面図
（ｂ）図７（ａ）のＡ矢視図
【図８】（ａ）同回転ブラシのプーリーの詳細図
（ｂ）同従動力伝達部の詳細図
【図９】従来の電気掃除機用吸込具の側断面図
【図１０】同電気掃除機用吸込具から上ケースを外したときの上面図
【図１１】同電気掃除機用吸込具の下面図
【符号の説明】
３１　掃除機本体
３２　吸込具本体
４０　上ケース
４１　下ケース
４２　吸込部
４９　電動機
５０　主動力伝達部
５１　従動力伝達部
５２　ベルト
５３　駆動室
５４　回転ブラシ
５５　駆動手段
５６　プーリー
６４　毛ブラシ（塵埃掻き上げ部）
６６　ケース部Ａ
【図１】
2004121470.tif 000003
【図２】
2004121470.tif 000004
【図３】
2004121470.tif 000005
【図４】
2004121470.tif 000006
【図５】
2004121470.tif 000007
【図６】
2004121470.tif 000008
【図７】
2004121470.tif 000009
【図８】
2004121470.tif 000010
【図９】
2004121470.tif 000011
【図１０】
2004121470.tif 000012
【図１１】
2004121470.tif 000013